(57)【要約】      （修正有）【課題】係止位置を容易に変更できるとともに被取付部材への取付が比較的容易な留め具を提供する。【解決手段】留め具１は、第１部材２と第２部材３を有し、第１部材２に、第１基板１０と、第１基板１０と一体に形成されて第１方向に突出する複数の係止突起２０を含む係止部２９を設け、第２部材３に、係止突起２０に係脱可能に係止される被係止部４１と、被係止部４１と一体に形成されて被係止部４１が係止突起２０に係止された状態で第１方向と直交する方向に延びる第２基板３０とを設け、第１基板１０および第２基板３０をゴムあるいは樹脂製とし、係止部２９に含まれる複数の係止突起２０を、被係止部４１を選択的に係止可能なように第１基板１０の表面に沿う第２方向に互いに離間する状態で並設し、係止突起２０の突出量を、被係止部４１が係止突起２０に係止された状態での第２基板３０と第１基板１０との第１方向の離間距離以下に設定する。【選択図】図１
0003230435.tif 000002
【実用新案登録請求の範囲】
【請求項１】
第１部材と、これに係脱可能に係止される第２部材とを有する留め具であって、
上記第１部材は、第１基板と、当該第１基板と一体に形成されて当該第１基板の表面からこれと直交する第１方向に突出する複数の係止突起を含む係止部とを有し、
上記第２部材は、上記第１方向に沿って上記係止突起に係脱可能に係止される被係止部と、上記被係止部の側部に当該被係止部と一体に形成されて上記被係止部が上記係止突起に係止された状態で上記第１方向と直交する方向に延びる第２基板とを有し、
上記第１基板および上記第２基板は、それぞれゴムあるいは樹脂により形成されており、
上記係止部に含まれる複数の上記係止突起は、上記被係止部を選択的に係止可能なように上記第１基板の表面に沿う第２方向に互いに離間する状態で並設されており、
上記係止突起の上記第１基板からの突出量は、上記被係止部が上記係止突起に係止された状態での上記第２基板と上記第１基板との上記第１方向の離間距離以下に設定されている、ことを特徴とする留め具。
【請求項２】
請求項１に記載の留め具において、
上記第１部材は、その全体が同一のゴムあるいは樹脂により形成されており、
上記第２部材は、その全体が同一のゴムあるいは樹脂により形成されている、ことを特徴とする留め具。
【請求項３】
請求項２に記載の留め具において、
上記第１部材と上記第２部材とは、それぞれ熱可塑性ポリウレタンにより形成されている、ことを特徴とする留め具。
【請求項４】
請求項１〜３のいずれか１項に記載の留め具において、
上記第１部材は、上記第２方向と直交する第３方向に互いに離間する状態で並設された複数の上記係止部を有する、ことを特徴とする留め具。
【請求項５】
請求項４に記載の留め具において、
上記第２部材は、上記被係止部が上記係止突起に係止された状態で上記第３方向に沿って並ぶ複数の上記被係止部を有する、ことを特徴とする留め具。
【請求項６】
請求項１〜５のいずれか１項に記載の留め具において、
各上記係止突起の外周面に、内周側に凹む溝部が形成されており、
上記被係止部に、上記係止突起が挿入される被係止孔が形成されているとともに、当該被係止孔の内周面から内周側に突出して上記溝部に係止される爪部が設けられている、ことを特徴とする留め具。
【請求項７】
請求項６に記載の留め具において、
上記被係止部の上記被係止孔を囲む外周壁のうち上記爪部を除く残余の部分の厚み寸法は、互いに隣接する上記係止突起の離間距離の半分以下である、ことを特徴とする留め具。
【請求項８】
請求項１〜７のいずれか１項に記載の留め具において、
上記第１部材は、上記第１方向に沿って延びる軸回りに４回対称となる構造を有している、ことを特徴とする留め具。
【請求項９】
請求項８に記載の留め具において、
上記係止突起は、上記第１方向に沿ってみたときに円あるいは正多角形状を呈する、ことを特徴とする、留め具。
【請求項１０】
請求項１〜９のいずれか１項に記載の留め具において、
上記第１部材は、上記第１方向の寸法の方が上記第２方向の寸法よりも小さくなるように構成され、
上記第２部材は、上記被係止部が上記係止突起に係止された状態での上記第１方向の寸法の方が当該状態での上記第２方向の寸法よりも小さくなるように構成されている、ことを特徴とする留め具。
【請求項１１】
請求項１〜１０のいずれか１項に記載の留め具を備える衣類であって、
上記第１基板が縫着された状態で上記第１部材が取り付けられた部分と、上記第２基板が縫着された状態で上記第２部材が取り付けられた部分とを備える衣類。
【請求項１２】
請求項１１に記載の衣類において、
前身ごろと、後身ごろと、上記前身ごろと上記後身ごろとに共通して取り付けられた一対の袖とを備え、
上記前身ごろは、着用者の左右方向の一方側を覆う下前身ごろと、着用者の左右方向の他方側を覆うとともに上記下前身ごろの一部を覆う上前身ごろを含み、
上記第１部材は、上記下前身ごろの左右方向の上記他方側の端部に取り付けられており、
上記第２部材は、上記上前身ごろの左右方向の上記一方側の端部に取り付けられている、ことを特徴とする衣類。
【請求項１３】
請求項１２に記載の衣類において、
上記上前身ごろと上記下前身ごろとには、これらを係脱可能に連結するスライドファスナーが取り付けられており、
上記上前身ごろは、上記スライドファスナーを覆う比翼前立てを有し、
上記第２部材は、上記比翼前立ての左右方向の上記一方側の端部に取り付けられている、ことを特徴とする衣類。
【考案の詳細な説明】
【技術分野】
【０００１】
本考案は、第１部材とこれに装着される第２部材とを有する留め具、および、この留め具を備える衣類に関する。
【背景技術】
【０００２】
衣類等に設けられる留め具として、例えば、特許文献１には、雄フックと雌フックとを備える雌雄ホックが開示されている。
【０００３】
具体的に、特許文献１の留め具では、雄フックに、円筒状を呈する係合本体とこれを支持するカシメ固定部とが設けられ、雌フックに、凹部が形成された先端係合部とこれを支持するカシメ固定部とが設けられて、雄フックの係合本体と雌フックの先端係合部とが係合することで雌雄のフックが係合するようになっている。また、特許文献１の留め具では、係合本体に設けられた突起を布地に貫通させてこれとカシメ固定部とがカシメ固定されることで雄フックが生地に固定され、先端係合部に設けられた突起を布地に貫通させてこれとカシメ固定部とがカシメ固定されることで雌フックが生地に固定されるようになっている。
【先行技術文献】
【特許文献】
【０００４】
【特許文献１】特開２０１３−２４８２３３号公報
【考案の概要】
【考案が解決しようとする課題】
【０００５】
上記特許文献１のホックでは、雄フックと雌フックにそれぞれ係合本体と先端係合部とが一つずつ設けられている。そのため、このホックを用いた場合、雄フックを取り付ける被取付部材に対する雌フックを取り付ける被取付部材の係止位置を変更するためには、一方の被取付部材に複数の雄フックあるいは複数の雌フックを取り付ける必要がある。そのため、取り付けに手間がかかるという問題がある。
【０００６】
本考案は、上記のような問題の解決を図ろうとなされたものであって、係止位置を容易に変更できるとともに被取付部材への取り付けが比較的容易な留め具を提供することを目的とする。
【課題を解決するための手段】
【０００７】
本考案に係る留め具は、第１部材と、これに係脱可能に係止される第２部材とを有する留め具であって、上記第１部材は、第１基板と、当該第１基板と一体に形成されて当該第１基板の表面からこれと直交する第１方向に突出する複数の係止突起を含む係止部とを有し、上記第２部材は、上記第１方向に沿って上記係止突起に係脱可能に係止される被係止部と、上記被係止部の側部に当該被係止部と一体に形成されて上記被係止部が上記係止突起に係止された状態で上記第１方向と直交する方向に延びる第２基板とを有し、上記第１基板および上記第２基板は、それぞれゴムあるいは樹脂により形成されており、上記係止部に含まれる複数の上記係止突起は、上記被係止部を選択的に係止可能なように上記第１基板の表面に沿う第２方向に互いに離間する状態で並設されており、上記係止突起の上記第１基板からの突出量は、上記被係止部が上記係止突起に係止された状態での上記第２基板と上記第１基板との上記第１方向の離間距離以下に設定されている、ことを特徴とする。
【０００８】
上記構成に係る留め具では、係止突起の第１基板からの突出量が、被係止部が係止突起に係止された状態での第２基板と第１基板のとの第１方向（係止突起の突出方向）の離間距離以下に設定されている。そのため、被係止部と所定の係止突起とを係止させたときに、他の係止突起と第２基板とが干渉するのを回避でき、いずれの係止突起に対しても被係止部を適切に係止させることができる。従って、係止部を係止する係止突起を変更することで、第１部材と第２部材とを適切に係止させつつこれらの係止位置を容易に変更することができる。また、第１部材を被取付部材に取り付けることで複数の係止突起を被取付部材に設けることができ、複数の係止突起を個別に被取付部材に取り付ける場合に比べて取り付けの手間を小さくできる。しかも、係止突起どうしが第１基板上に互いに離間する状態で配設されており、且つ、第１基板がゴムあるいは樹脂で形成されている。そのため、係止突起間の第１基板を被取付部材に縫着でき、第１部材を容易に被取付部材に取り付けることができる。また、第２基板がゴムあるいは樹脂で形成されていることでこれを被取付部材に縫着でき、第２部材も容易に被取付部材に取り付けることができる。
【０００９】
上記構成に係る留め具において、上記第１部材は、その全体が同一のゴムあるいは樹脂により形成されており、上記第２部材は、その全体が同一のゴムあるいは樹脂により形成されている、としてもよい。
【００１０】
上記第１部材および第２部材の材質としては、熱可塑性ポリウレタンが挙げられる。
【００１１】
上記構成に係る留め具において、上記第１部材は、上記第２方向と直交する第３方向に互いに離間する状態で並設された複数の上記係止部を有する、としてもよい。
【００１２】
この構成によれば、１つの係止部に含まれる複数の係止突起の並び方向（第２方向）に加えてこれと直交する方向（第３方向）についても、第１部材と第２部材との係止位置を変更できる。
【００１３】
上記構成に係る留め具において、上記第２部材は、上記被係止部が上記係止突起に係止された状態で上記第３方向に沿って並ぶ複数の上記被係止部を有する、としてもよい。
【００１４】
この構成によれば、複数の被係止部を複数の係止突起に同時に係止でき、第１部材に第２部材を強固に係止できる。
【００１５】
上記係止突起に対する上記被係止部の係止構成としては、各上記係止突起の外周面に、内周側に凹む溝部が形成されており、上記被係止部に、上記係止突起が挿入される被係止孔が形成されているとともに、当該被係止孔の内周面から内周側に突出して上記溝部に係止される爪部が設けられている、構成が挙げられる。
【００１６】
上記構成に係る留め具において、上記被係止部の上記被係止孔を囲む外周壁のうち上記爪部を除く残余の部分の厚み寸法は、互いに隣接する上記係止突起の離間距離の半分以下である、としてもよい。
【００１７】
この構成によれば、１つの第１部材の隣接する２つの係止突起に、異なる２つの第２部材を係止することができる。そのため、所定の部材の同じ場所に２つの部材を係脱可能に設ける場合に、当該場所に取り付ける第１部材を１つで済ますことができ、取り付けの手間を低減できる。
【００１８】
上記構成に係る留め具において、上記第１部材は、上記第１方向に沿って延びる軸回りに４回対称となる構造を有している、としてもよい。
【００１９】
この構成によれば、第１部材に方向性がないことでこれの取り付け間違いが防止される。
【００２０】
上記構成に係る留め具において、上記係止突起の具体的な形状としては、上記第１方向に沿ってみたときに円あるいは正多角形状を呈する形状が挙げられる。
【００２１】
上記構成に係る留め具において、上記第１部材は、上記第１方向の寸法の方が上記第２方向の寸法よりも小さくなるように構成され、上記第２部材は、上記被係止部が上記係止突起に係止された状態での上記第１方向の寸法の方が当該状態での上記第２方向の寸法よりも小さくなるように構成されている、としてもよい。
【００２２】
この構成によれば、被取付部材に対する第１部材および第２部材の突出量を小さく抑えることができ、これら部材が取り付けられた被取付部材の見た目を良好にできる。
【００２３】
また、本考案は、上記第１基板が縫着された状態で上記第１部材が取り付けられた部分と、上記第２基板が縫着された状態で上記第２部材が取り付けられた部分とを備える衣類を提供する。
【００２４】
この衣類によれば、各部分に対して第１部材と第２部材とを容易に取り付けることがでいるとともに、第１部材が縫着される部分に対する第２部材が縫着される部分の係止位置を容易に変更することが可能になる。
【００２５】
上記構成に係る衣類において、前身ごろと、後身ごろと、上記前身ごろと上記後身ごろとに共通して取り付けられた一対の袖とを備え、上記前身ごろは、着用者の左右方向の一方側を覆う下前身ごろと、着用者の左右方向の他方側を覆うとともに上記下前身ごろの一部を覆う上前身ごろを含み、上記第１部材は、上記下前身ごろの左右方向の上記他方側の端部に取り付けられており、上記第２部材は、上記上前身ごろの左右方向の上記一方側の端部に取り付けられている、としてもよい。
【００２６】
この構成によれば、下前身ごろに対する上前身ごろの係止位置を容易に変更できる。
【００２７】
上記構成に係る衣類において、上記上前身ごろと上記下前身ごろとには、これらを係脱可能に連結するスライドファスナーが取り付けられており、上記上前身ごろは、上記スライドファスナーを覆う比翼前立てを有し、上記第２部材は、上記比翼前立ての左右方向の上記一方側の端部に取り付けられている、としてもよい。
【００２８】
この構成によれば、下前身ごろに対する比翼前立ての係止位置を容易に変更できる。
【考案の効果】
【００２９】
上記の各構成に係る留め具および衣類によれば、被取付部材に対して留め具を容易に取り付けることができるとともに２つの部材の係止位置を容易に変更できる。
【図面の簡単な説明】
【００３０】
【図１】実施形態に係る留め具の概略斜視図である。
【図２】実施形態に係る第１部材の平面図である。
【図３】第１部材の側面図である。
【図４】実施形態に係る第２部材の平面図である。
【図５】図４のＶ−Ｖ断面を示す断面図である。
【図６】図４のＶＩ−ＶＩ断面を示す断面図である。
【図７】オス側部材にメス側部材が係止された状態を示した図であり、（ａ）は平面図、（ｂ）は（ａ）のＶＩＩＢ−ＶＩＩＢ断面を示す断面図である。
【図８】オス側部材にメス側部材が係止された状態を示した図であり、（ａ）は平面図、（ｂ）は（ａ）のＶＩＩＩＢ−ＶＩＩＩＢ断面を示す断面図である。
【図９】実施形態に係る衣類を示した正面図である。
【図１０】オス側部材に２つのメス側部材が係止された状態を示した断面図である。
【図１１】留め具の他の例を示した平面図である。
【図１２】留め具の他の例を示した平面図である。
【図１３】留め具の他の例を示した平面図である。
【考案を実施するための形態】
【００３１】
以下では、本考案の実施形態について、図面を参酌しながら説明する。なお、以下で説明する形態は本考案の一例であって、本考案は、その本質的な構成を除き何ら以下の形態に限定を受けるものではない。
【００３２】
（実施形態）
図１は、本考案の一実施形態に係る留め具１の概略斜視図である。留め具１は、オス側部材２と、これに装着されるメス側部材３とを備える。オス側部材２は請求項の「第１部材」に相当し、メス側部材３は請求項の「第２部材」に相当する。図２は、オス側部材２の平面図である。図３は、オス側部材２の側面図である。図４は、メス側部材３の平面図である。図５は、図４のＶ−Ｖ断面の断面図である。図６は、図４のＶＩ−ＶＩ断面の断面図である。以下では、図１の上下方向であってオス側部材２の後述する第１基板１０と直交する方向、およびオス側部材２にメス側部材３が係止された状態でのメス側部材３の後述する第２基板３０と直交する方向を上下方向という。なお、この上下方向は、請求項の「第１方向」に相当する。また、図１の左右方向を単に左右方向という。なお、この左右方向は、請求項の「第２方向」に相当する。また、これら上下方向と左右方向とに直交する方向を前後方向という。なお、この前後方向は、請求項の「第３方向」に相当する。
【００３３】
（オス側部材）
オス側部材２は、板状を呈する樹脂製の第１基板１０と、第１基板１０の上面（表面）１０ａから上方に突出する複数の係止突起２０とを有する。各係止突起２０は、互いに同じ構造を有している。第１基板１０と各係止突起２０とは互いに一体に形成されている。本実施形態では、第１基板１０と各係止突起２０とが同じ樹脂により一体成型されている。例えば、オス側部材２は、ＴＰＵ（Ｔｈｅｒｍｏｐｌａｓｔｉｃ  Ｐｏｌｙｕｒｅｔｈａｎｅ、熱可塑性ポリウレタン）により一体成型されている。
【００３４】
図２に示すように、本実施形態では、第１基板１０は正方形状を呈し、係止突起２０は平面視で（上方からみたときに）正方形状を呈する略直方体形状を有している。オス側部材２には４つの係止突起２０が設けられており、各係止突起２０は、それぞれ第１基板１０の四隅を含む領域に配設されている。オス側部材２は全体として扁平な形状を呈しており、オス側部材２の上下方向の寸法ｄ３２は、第１基板１０の左右および前後方向の寸法つまりオス側部材２のこれらの方向の寸法ｄ３１よりも小さくなっている。
【００３５】
左右方向に並ぶ２つの係止突起２０は、後述する一つの被係止部４１が選択的に係止される一つの係止部２９を構成する。つまり、第１基板１０上には、左右方向に並ぶ２つの係止突起２０で構成される係止部２９が前後方向に２列並設されている。２つの係止部２９は前後方向について互いに離間しており、２つの係止部２９どうしの間には左右方向に延びる第１溝１１が区画されている。また、左右方向に並ぶ２つの係止突起２０は左右方向について互いに離間しており、右側に位置する２つの係止突起２０と、左側に位置する２つの係止突起２０の間には、前後方向に延びる第２溝１２が区画されている。
【００３６】
図３に示すように、係止突起２０の上下方向の中間部分の外周面には内周側（係止突起２０の上下方向に延びる中心軸側）に凹む係止溝２３が形成されている。係止溝２３は、係止突起２０の外周面の全周にわたって形成されている。つまり、係止突起２０は、その上端部を構成する頭部２１と、これよりも外径の小さい溝形成部２２とを有している。頭部２１の下面であって係止溝２３の上側の側面２３ａは、上下方向と直交する方向にほぼまっすぐ延びている。一方、係止溝２３を区画する下側の面２３ｂは、テーパ状を呈し、下方に向かって拡径するように傾斜している。
【００３７】
本実施形態では、係止突起２０が４回対称な構造を有しているとともに、第１溝１１の幅寸法ｄ１と第２溝１２の幅寸法ｄ２とが同じ値に設定されている。また、オス側部材２全体も４回対称な構造を有しており、オス側部材２は、その中心軸（上下方向に延びる中心軸）回りに９０度ずつ回転させた場合に回転前後でその構造が同一になるように構成されている。この構成から、図２において前後方向に並ぶ２つの係止突起２０を１つの係止部２９として扱うこともできるが、ここでは、上記のように、左右方向に並ぶ２つの係止突起２０を１つの係止部２９として説明する。つまり、ここでは、１つの係止部２９として機能する複数の係止突起２０の並び方向を左右方向とし、係止部２９どうしの並び方向を前後方向として説明を行う。
【００３８】
（メス側部材）
メス側部材３は、上下方向に沿って係止突起２０に係脱可能に係止される被係止部４１と、これの側部（左側部）に設けられた板状を呈する樹脂製の第２基板３０とを有する。本実施形態では、メス側部材３に、前後に並ぶ２つの被係止部４１が設けられている。各被係止部４１の構造は略同一である。第２基板３０と各被係止部４１とは、互いに一体に形成されている。本実施形態では、第１基板１０と各係止突起２０とが同じ樹脂により一体成型されている。メス側部材３は、オス側部材２よりも柔らかく、例えば、オス側部材２と同様にＴＰＵによって成型される一方オス側部材２よりも柔らかくなるように成型されている。
【００３９】
第２基板３０は前後方向に延びる略長方形を呈し、各被係止部４１の外形はそれぞれ底面が正方形の略直方体状を呈する。上記のように被係止部４１は互いに一体に形成されており、これら被係止部４１によって、第２基板３０の右方に位置して前後方向に延びる直方体状の外形を有する被係止ブロック４０が構成されている。第２基板３０は、被係止ブロック４０の左側面つまり各被係止部４１の左側面の上端付近から左方に延びている。メス側部材３は全体として扁平な形状を呈しており、メス側部材３の上下方向の寸法ｄ４２は、メス側部材３の左右方向の寸法ｄ４１よりも小さくなっている。
【００４０】
各被係止部４１には、被係止部４１を上下方向に貫通する被係止孔４２がそれぞれ形成されている。つまり、被係止孔４２を囲む外周壁４１ａが被係止部４１を構成している。被係止孔４２は、略正方形の孔である。
【００４１】
各被係止部４１には、その下端部に、被係止孔４２の内周面から内周側（被係止孔４２の上下方向に延びる中心軸側）に突出する爪部４４がそれぞれ設けられている。爪部４４は、被係止孔４２の全周にわたって設けられている。
【００４２】
具体的には、各被係止部４１は、それぞれ、その上端部を構成するテーパ部４６と、その上下方向の中央部を構成する中央部４５と、その下端部を構成する爪部４４とを有する。テーパ部４６に形成された被係止孔４２は上方に向かって拡径している。中央部４５に形成された被係止孔４２の孔径（前後方向および左右方向の寸法）は上下方向でほぼ一定となっている。爪部４４はこの中央部４５に対して内周側に突出している。爪部４４の上面４４ａは、この中央部４５に形成された被係止孔４２の内周面から略直交するように内周側に延びている。なお、爪部４４の下端部は、テーパ状を呈し、下方に向かって拡径するように傾斜している。
【００４３】
（係止構造）
被係止部４１の中央部４５に形成された被係止孔４２の前後方向および左右方向の寸法は、係止突起２０の頭部２１の左右方向および前後方向の寸法よりもわずかに大きい値に設定されている。一方、左右方向および前後方向についての爪部４４の内周端どうしの離間距離は、係止突起２０の頭部２１の左右方向および前後方向の寸法よりもわずかに小さく、且つ、係止突起２０の溝形成部２２の左右方向および前後方向の寸法よりもわずかに大きい値に設定されている。
【００４４】
また、前後方向に並ぶ２つの被係止孔４２のピッチは、前後方向に並ぶ係止突起２０のピッチと同じに設定されている。被係止部４１の中央部４５の厚み寸法ｄ５は周方向に一定の値であって第１溝１１および第２溝１２の幅寸法ｄ１（ｄ２）の半分（１／２倍）以下の値に設定されている。つまり、被係止部４１の被係止孔４２を囲む外周壁４１ａのうち爪部４４を除く残余の部分の厚み寸法は、互いに隣接する係止突起２０の離間距離ｄ１（ｄ２）の半分以下に設定されている。また、２つの被係止部４１の中央部４５によって構成されて２つの被係止孔４２の間に位置する隔壁４９（図６）の厚みは、第１溝１１の幅寸法ｄ１および第２溝１２の幅寸法ｄ１（ｄ２）以下となっている。
【００４５】
上記のように構成されたメス側部材３はオス側部材２に係脱可能に係止される。図７は、オス側部材２にメス側部材３が係止された状態の図であり、（ａ）は平面図、（ｂ）は（ａ）のＶＩＩＢ−ＶＩＩＢ断面の断面図である。
【００４６】
第２基板３０が上下方向と略直交して延びる姿勢でメス側部材３をオス側部材２に上方から押し付けると、爪部３３が弾性変形しつつ拡径して被係止孔４２内に係止突起２０が挿入される。爪部４４と係止溝２３とが対向する位置までメス側部材３をさらに押し付けると、爪部４４は弾性復帰して係止溝２３内に入り込み係止溝２３に係止される。つまり、爪部４４の上方に係止溝２３の上側の側面２３ａが配置されて、係止溝２３の上側の側面２３ａによって爪部４４の上方への移動が規制される。これにより、メス側部材３はオス側部材２に係止される。本実施形態では、図７（ａ）に示すように、２つの被係止孔４２にそれぞれ１つずつ係止突起２０が挿入されて各被係止孔４２の爪部４４が各係止突起２０の係止溝２３に係止され、被係止ブロック４０全体が２つの係止突起２０に係止される。そして、上記のように各爪部４４が各係止溝２３に係止されている状態でメス側部材３を上方に押し上げると、各爪部４４の上記とは逆の動きによって各爪部４４と各係止溝２３との係合が解除されてメス側部材３がオス側部材２から取り外される。
【００４７】
ここで、図７（ｂ）に示すように、メス側部材３は、第２基板３０が上下方向と直交する姿勢でオス側部材２に係止される。また、このようにメス側部材３がオス側部材２に係止された状態において、第２基板３０と第１基板１０の上下方向の離間距離ｄ２０は、第１基板１０に対する係止突起２０の突出量ｄ１０（第１基板１０の上面１０ａと係止突起２０の上端との離間距離ｄ１０）以上となる。詳細には、爪部４４の上面４４ａと第２基板３０の下面の上下方向の離間距離ｄ２１（図５）が、係止突起２０の頭部２１の上下方向の寸法ｄ１１（図３）以上の値に設定されており、これにより、上記の離間距離ｄ２０は上記の突出量ｄ１０以上となる。本実施形態では、上記の突出量ｄ１０と上記の離間距離ｄ２０とは同じ寸法に設定されている。
【００４８】
図７（ａ）、（ｂ）は、オス側部材２のうち左側に位置する２つの係止突起２０にメス側部材３が係止された状態を示した図である。これに対して、図８（ａ）、（ｂ）は、オス側部材２のうち右側に位置する２つの係止突起２０にメス側部材３が係止された状態を示した図である。上記のように、１つの係止部２９の２つの係止突起２０には被係止部４１が選択的に係止されるようになっており、図８（ａ）、（ｂ）に示すように、メス側部材３はオス側部材２の右側部分にも係脱可能に係止され得る。
【００４９】
具体的には、上記のように、被係止部４１の中央部４５の厚み寸法ｄ５が第２溝１２の幅寸法ｄ２の半分以下の値に設定されていることで、第２溝１２に被係止部４１の左側壁を挿入できるようになっている。また、上記のように、第２基板３０と第１基板１０の離間距離ｄ２０が、第１基板１０に対する係止突起２０の突出量ｄ１０以上に設定されており、第２基板３０と係止突起２０との干渉が回避されるようになっている。従って、各被係止部４１に右側の２つの係止突起２０を挿入して各爪部４４を各係止溝２３にそれぞれ係止させることができ、メス側部材３をオス側部材２の右側部分にも係脱可能に係止することができる。
【００５０】
（留め具を有する衣類）
上記のように構成された留め具１は例えば衣類に取り付けられる。図９は複数の留め具１が取り付けられた衣類の一例を示した概略正面図である。以下の衣類の説明では、図９の上下方向を単に上下方向といい、図９の左右方向を単に左右方向という。図９に示す衣類は、前身ごろ１００Ａと、後身ごろ１００Ｂと、これらに共通して取り付けられた一対の袖１００Ｃとを有するジャケット１００である。このジャケット１００の前身ごろ１００Ａは、着用者の左側を覆う下前身ごろ１０３と、着用者の右側を覆うとともに下前身ごろ１０３の右端部を覆う上前身ごろ１０２とを含み、下前身ごろ１０３と上前身ごろ１０２とがスライドファスナ１０１によって着脱可能に連結されるようになっている。また、このジャケット１００は比翼仕立てであって、上前身ごろ１０２の左端部には、スライドファスナ１０１を隠すための比翼前立て１２０が設けられている。複数の留め具１は、比翼前立て１０２と下前身ごろ１０３とを係脱するための留め具として利用されている。
【００５１】
比翼前立て１０２の左端部には、４つのメス側部材３が上下方向に互いに離間した状態でそれぞれ取り付けられている。各メス側部材３は、被係止ブロック４０が比翼前立て１０２の縁から突出し、且つ、２つの被係止孔４２が上下方向に並ぶ状態で、比翼前立て１０２に縫着されている。具体的には、比翼前立て１０２の表側の布地１０２ａと裏側（身体側）の布地１０２ｂとの間に各メス側部材３の第２基板３０が挟み込まれた状態で、これら布地１０２ａ、１０２ｂに各第２基板３０が縫い付けられている。図９の例では、縫い目が比翼前立て１０２の縁に沿うラインＡ１となるように第２基板３０と布地１０２ａ１０２ｂとが縫い合わされている。
【００５２】
下前身ごろ１０３の右端部には、４つのメス側部材３に対応して４つのオス側部材２が上下方向に離間した状態でそれぞれ取り付けられている。各オス側部材２は、１つの係止部２９に含まれる２つの係止突起２０が左右方向に並び、２つの係止部２９が上下方向に並ぶ状態で前身ごろ１０３に縫着されている。具体的には、第１溝１１と第２溝１２とが（つまり、第１基板１０のうち第１溝１１と第２溝１２を区画する部分が）ジャケット１００の下前身ごろ１０３を形成する布地に縫い付けられている。
【００５３】
ここで、上記のように、オス側部材２とメス側部材３とはいずれも扁平な形状を呈している。そのため、これらオス側部材２とメス側部材３の前身ごろ１００Ａからの突出量は少なく抑えられ、ジャケット１００の見栄えは良好となっている。
【００５４】
このように構成されたジャケット１００では、各メス側部材３のオス側部材２に対する係止位置を変更することで、比翼前立て１０２の下前身ごろ１０３に対する左右方向の係止位置を容易に変更できる。
【００５５】
また、このジャケット１００では、ポケット部１１０が付属品として設けられており、留め具１を利用してこのポケット部１１０をジャケット１００に着脱できるようになっている。具体的には、ポケット部１１０にメス側部材３が縫着されており、このメス側部材３を下前身ごろ１０３に取り付けられたオス側部材２の一つに係止することで、ポケット部１１０をジャケット１００の前身ごろ１０３に取り付けることができる。
【００５６】
本実施形態では、上記のように、被係止部４１の被係止孔４２を囲む外周壁４１ａのうち爪部４４を除く残余の部分の厚み寸法が、互いに隣接する係止突起２０の離間距離ｄ１（ｄ２）の半分以下に設定されていることで、図１０に示すように、一つのメス側部材３Ａをオス側部材２の左右一方側の係止突起２０に係止した状態で、さらに、他のメス側部材３Ｂをオス側部材２の左右他方側の係止突起２０に係止することができる。これより、本実施形態のジャケット１００では、図９に示すように、比翼前立て１０２に取り付けられたメス側部材３を所定のオス側部材２の右側部分に取り付けた状態で、同じオス側部材２の左側部分にポケット部１１０を取り付けられるようになっている。
【００５７】
（作用）
以上のように、上記実施形態に係る留め具１では、メス側部材３の被係止部４１を係止可能な係止突起２０が２つ左右方向に並ぶ状態で１つのオス側部材２に設けられている。また、メス側部材３がオス側部材２に係止された状態での第２基板３０と第１基板１０の離間距離ｄ２０が、第１基板１０に対する係止突起２０の突出量ｄ１０以上に設定されている。そのため、被係止部４１を各係止突起２０に適切に係止させることができ、被係止部４１を係止する係止突起２０を変更することでオス側部材２とメス側部材３との係止位置を容易に変更できる。また、上記のジャケット１００のように、１つのオス側部材２を生地等の被取付部材に取り付けることで、複数の係止突起２０を一度に被取付部材に取り付けることができ、取り付けが容易になる。
【００５８】
しかも、第１基板１０が樹脂製であり且つ各係止突起２０が互いに離間した状態で第１基板１０上に配設されていることで、係止突起２０間の第１基板１０を生地等の被取付部材に縫着することができ、オス側部材２を容易に生地等の被取付部材に取り付けることができる。また、メス側部材３においても、第２基板３０が樹脂製であることで第２基板３０を生地等の被取付部材に縫着することができ、被取付部材にメス側部材３を容易に取り付けることができる。
【００５９】
また、上記実施形態では、オス側部材２に、左右方向に並ぶ２つの係止突起２０で構成される係止部２９が前後方向に２列設けられるとともに、メス側部材３に、前後方向に並ぶ２つの被係止部４１が設けられている。そのため、２つの被係止部４１を２つの係止突起２０に同時に係止させることができ、オス側部材２にメス側部材３を強固に係止できる。
【００６０】
また、上記のようにオス側部材２に係止部２９が前後方向に複数列設けられていれば、左右方向に加えて前後方向についてもオス側部材２に対するメス側部材３の係止位置を変更することができる。
【００６１】
そして、このように構成された留め具１をジャケット１００に利用して、留め具１のオス側部材２を下前身ごろ１０３の右側端部に取り付け、メス側部材３を比翼前立て１２０の左端部に取り付ければ、上記のように、比翼前立て１０２の左右方向の位置を容易に変更できるジャケット１００を実現できる。
【００６２】
また、上記のように、被係止部４１の被係止孔４２を囲む外周壁４１ａのうち爪部４４を除く残余の部分の厚み寸法が、互いに隣接する係止突起２０の離間距離ｄ１（ｄ２）の半分以下に設定されていることで、２つのメス側部材３を同じオス側部材２に係脱可能に係止できる。従って、上記のジャケット１００の例のように、同じオス側部材に２対して比翼前立て１２０とポケット部１１０とを係脱可能に係止することが可能となり、オス側部材２の数を低減してその取付手間を低減できる。つまり、被取付部材の同じような場所に２つの異なる部材を係脱可能に係止する場合に、その場所に２つのオス側部材２を取り付ける必要がなく（１つのオス側部材２のみをその場所に取り付ければよいので）取り付けの手間を低減できる。
【００６３】
また、上記実施形態では、オス側部材２が４回対称となる構造を有しており方向性がないことで、オス側部材２の被取付部材への取り付けの手間を小さく抑えることができる。具体的には、オス側部材２の前後方向と左右方向を特定することなく被取付部材に取り付けることができ、取り付け時にオス側部材２の向きを特定する作業に係る手間を小さくできる。
【００６４】
また、上記実施形態では、オス側部材２とメス側部材３とがいずれも扁平な形状を呈している。そのため、これらを被取付部材に取り付けた場合に、被取付部材からの突出量を少なく抑えることができ、被取付部材の見栄えを良好にできる。
【００６５】
（変形例）
上記実施形態では、オス側部材２の材質が樹脂である場合を説明したが、オス側部材２の材質はゴムであってもよい。また、オス側部材２において、第１基板１０がゴムあるいは樹脂により形成されていればよく、係止突起２０の材質はゴムや樹脂に限られない。また、上記実施形態では、第１基板１０と各係止突起２０とが一体成型される場合を例示したが、これらは個別に成型された後に接着等により一体とされてもよい。また、第１基板１０あるいはオス側部材２全体を樹脂で形成する場合において、その材料は、上記のＴＰＵに限られない。
【００６６】
同様に、上記実施形態では、メス側部材３の材質が樹脂である場合を説明したが、メス側部材３の材質はゴムであってもよい。また、メス側部材３において、第２基板３０がゴムあるいは樹脂により形成されていればよく、被係止部４１の材質はゴムや樹脂に限られない。また、上記実施形態では、第２基板３０と各被係止部４１とが一体成型される場合を例示したが、これらは個別に成型された後に接着等により一体とされてもよい。また、第２基板３０あるいはメス側部材３全体を樹脂で形成する場合において、その材料は、上記のＴＰＵに限られない。
【００６７】
上記実施形態では、オス側部材２が、前後方向に並ぶ２つの係止部２９を有するものとしたが、オス側部材は少なくとも１つの係止部を有していればよい。また、メス側部材も少なくとも１つの被係止部４１を有していればよい。つまり、図１１の留め具２０１に示すように、オス側部材２０２を所定の方向に並ぶ２つの係止突起２２０を有するものとし、メス側部材２０３を一つの被係止部２４１を有するものとしてもよい。反対に、オス側部材に３つ以上の係止部を設ける、あるいは／および、メス側部材に３つ以上の被係止部を設けてもよい。
【００６８】
また、上記実施形態では、一つの係止部２９が２つの係止突起２０を有する場合を説明したが、一つの係止部２９に設ける係止突起２０の数は２つ以上であればよく、３つ以上であってもよい。
【００６９】
また、上記実施形態では、第２基板３０と第１基板１０の離間距離ｄ２０と、第１基板１０に対する係止突起２０の突出量ｄ１０とが同じである場合を説明したが、第２基板３０と第１基板１０の離間距離ｄ２０は第１基板１０に対する係止突起２０の突出量ｄ１０以上に設定されていればよく、上記の離間距離ｄ２０が上記の突出量ｄ１０よりも大きい寸法に設定されてもよい。
【００７０】
また、上記実施形態では、係止突起２０が平面視で正方形状を呈する場合を説明したが、係止突起２０の具体的な形状はこれに限らない。例えば、図１２の留め具３０１のように、オス側部材３０２の係止突起３２０が平面視で円形を呈し、メス側部材３０３の被係止孔３４２が円形の孔とされていてもよい。また、図１３の留め具４０１のように、オス側部材４０２の係止突起４２０が平面視で正八角形を呈し、メス側部材３０３の被係止孔３４２が正八角形の孔とされてもよい。
【００７１】
また、上記実施形態では、留め具１がジャケット１００の比翼前立て１２０に適用される場合を説明したが、留め具が適用されるパーツおよび衣類の種類はこれに限られない。例えば、図９に示した例において、スライドファスナ１０１の代わりに留め具１が用いられてもよい。また、留め具は衣類以外のものに適用されてもよい。
【符号の説明】
【００７２】
１  留め具
２  オス側部材（第１部材）
３  メス側部材（第２部材）
１０  第１基板
２０  係止突起
２３  係止溝
２９  係止部
３０  第２基板
４１  被係止部
４２  被係止孔
１００  衣類
１００Ａ  前身ごろ
１００Ｂ  後身ごろ
１０２  上前身ごろ
１０３  下前身ごろ
１２０  比翼前立て
【図１】
0003230435.tif 000003
【図２】
0003230435.tif 000004
【図３】
0003230435.tif 000005
【図４】
0003230435.tif 000006
【図５】
0003230435.tif 000007
【図６】
0003230435.tif 000008
【図７】
0003230435.tif 000009
【図８】
0003230435.tif 000010
【図９】
0003230435.tif 000011
【図１０】
0003230435.tif 000012
【図１１】
0003230435.tif 000013
【図１２】
0003230435.tif 000014
【図１３】
0003230435.tif 000015